(57)【要約】【課題】電子機器を吊り下げて保持できると共に簡易にストラップ紐を付け替えることができる【解決手段】本発明は、内部底面３４Ｂに対し、ストラップ紐３２を保持するとき、回動軸３７に対してストラップ紐３２の先端側にずれた位置を紐押止部先端３６ＢＹで押えることにより、携帯型音楽再生装置１の重量よりも重い所定以上の力でストラップ紐３２が引っ張られたときのみ当該ストラップ紐３２が抜けるように、回動軸３７と内部底面３４Ｄとの間の距離及び当該回動軸３７の垂線Ｌ１と紐押止部先端３６ＢＹとの間の距離を選定することで、携帯型音楽再生装置１を吊り下げて保持することができると共に、紐保持具３６を開けることにより、簡易にストラップ紐３２を付け替えることができる。【選択図】図７
2007275148.tif 000002
【特許請求の範囲】
【請求項１】
一端側に取付対象が取り付けられると共に、他端側からストラップ紐の両端部が内部の通路に挿入される本体部と、
一端側に回動軸が設けられ、上記本体部に対して、上記回動軸を中心にして他端側の紐押止端を上記通路と対向させる第１の方向、及び上記紐押止端を上記通路から離間させる第２の方向に回動自在に枢支され、上記ストラップ紐の両端部が上記本体部の上記通路まで挿入されたとき、上記第１の方向に回転して上記紐押え端により当該ストラップ紐の両端部を上記通路の底面に押し付けるようにして保持する紐保持具と
を具え、
上記紐保持具は、
上記紐押止端により上記ストラップ紐の両端部を上記通路の上記底面に押し付けるように保持したとき、上記回動軸から上記通路への垂線よりも上記紐押止端による上記ストラップ紐の両端部に対する押え位置が上記一端側にずれている
ことを特徴とするストラップ。
【請求項２】
上記紐保持具は、
上記紐押止端により上記ストラップ紐の両端部を上記通路の上記底面に押し付けるように保持したとき、上記紐押止端の上記一端側が上記通路側に突出するように形成されている
ことを特徴とする請求項１に記載のストラップ。
【請求項３】
上記紐保持具は、
上記本体部に対して、上記第２の方向に回転されたとき、上記本体の上記通路に挿入された上記ストラップ紐の両端部が突き当てられる突当部材を有する
ことを特徴とする請求項１に記載のストラップ。
【請求項４】
一端側に取付対象が取り付けられると共に、他端側から紐の両端部が内部の通路に挿入される本体部と、
一端側に回動軸が設けられ、上記本体部に対して、上記回動軸を中心にして他端側の紐押止端を上記通路と対向させる第１の方向、及び上記紐押止端を上記通路から離間させる第２の方向に回動自在に枢支され、上記紐の両端部が上記本体部の上記通路まで挿入されたとき、上記第１の方向に回転して上記紐押止端により当該紐の両端部を上記通路の底面に押し付けるようにして保持する紐保持具と
を具え、
上記紐保持具は、
上記紐押止端により上記紐の両端部を上記通路の上記底面に押し付けるように保持したとき、上記回動軸から上記通路への垂線よりも上記紐押止端による上記紐の両端部に対する押え位置が上記一端側にずれている
ことを特徴とする固定具。
【請求項５】
電子機器本体と、
一端側に電子機器本体が取り付けられると共に、他端側からストラップ紐の両端部が内部の通路に挿入される本体部と、
一端側に回動軸が設けられ、上記本体部に対して、上記回動軸を中心にして他端側の紐押止端を上記通路と対向させる第１の方向、及び上記紐押止端を上記通路から離間させる第２の方向に回動自在に枢支され、上記ストラップ紐の両端部が上記本体部の上記通路まで挿入されたとき、上記第１の方向に回転して上記紐押止端により当該ストラップ紐の両端部を上記通路の底面に押し付けるようにして保持する紐保持具と
を具え、
上記紐保持具は、
上記紐押止端により上記ストラップ紐の両端部を上記通路の上記底面に押し付けるように保持したとき、上記回動軸から上記通路への垂線よりも上記紐押止端による上記ストラップ紐の両端部に対する押え位置が上記一端側にずれている
ことを特徴とするストラップ付電子機器。
【発明の詳細な説明】
【技術分野】
【０００１】
本発明は電子機器等に取り付けられるストラップ、固定具及びストラップ付電子機器に関する。
【背景技術】
【０００２】
従来のストラップは、固定具の一端側に電子機器等を取り付けるための松葉紐が設けられると共に、他端側には使用者の手等にかけることができるように、環を形成するようにしてストラップ紐が設けられていた。そしてストラップは、松葉紐に電子機器が取り付けられた状態で、使用者の手等にストラップ紐がかけられると、当該電子機器を吊り下げるようにして保持していた（例えば、特許文献１参照）。
【特許文献１】特開２００６−６１４０３公報
【発明の開示】
【発明が解決しようとする課題】
【０００３】
ところがかかる構成のストラップは、固定具に対してストラップ紐が一体に固定されており、例えばストラップ紐が切断等で破損したとき、ストラップ紐だけを交換することができず、結果としてストラップ全体を買い換える必要があるという問題があった。それ以外にも長さを調節する部品が設けられており、その分コストが増していた。
【０００４】
ところで、従来のストラップとは別に、首から吊り下げることができるように比較的長いストラップ紐を有するストラップがあった。かかるストラップは、ストラップ紐を介して首から電子機器を吊り下げる場合に、例えば電子機器が電車の扉にはさまる等すると、首が引っ張られてしまうようなおそれがあった。
【０００５】
本発明は以上の点を考慮してなされたもので、電子機器を吊り下げて保持できると共に簡易にストラップ紐を付け替えることができるストラップ、固定具及びストラップ付電子機器を実現することができる。
【課題を解決するための手段】
【０００６】
かかる課題を解決するため本発明においては、一端側に取付対象が取り付けられると共に、他端側からストラップ紐の両端部が内部の通路に挿入される本体部と、一端側に回動軸が設けられ、本体部に対して、回動軸を中心にして他端側の紐押止端を通路と対向させる第１の方向、及び紐押止端を通路から離間させる第２の方向に回動自在に枢支され、ストラップ紐の両端部が本体部の通路まで挿入されたとき、第１の方向に回転して紐押え端により当該ストラップ紐の両端部を通路の底面に押し付けるようにして保持する紐保持具とを設け、紐保持具は、紐押止端によりストラップ紐の両端部を通路の底面に押し付けるように保持したとき、回動軸から通路への垂線よりも紐押止端によるストラップ紐の両端部に対する押え位置が一端側にずれるようにした。
【０００７】
これにより、回動軸の真下で当該ストラップ紐の両端部を押える場合と比して、あたかも第１の方向に回転するように付勢した状態で当該ストラップ紐の両端部を押えて保持することができ、また紐押止端でストラップ紐の両端部を押えて保持するときに取付対象の重量よりも重い所定以上の力でストラップ紐が引っ張られたときのみ当該ストラップ紐が抜けるように、回動軸と本体部の内部の通路との間の距離及び当該回動軸から当該本体部の内部の通路への垂線と紐押止端との間の距離を選定すれば、取付対象を吊り下げたときにはストラップ紐が引き抜かれないようにできると共に、取付対象の重量よりも重い所定以上の力でストラップ紐が引っ張られたときには、当該ストラップ紐が引き抜かれるようにすることができる。
【発明の効果】
【０００８】
本発明によれば、一端側に取付対象が取り付けられると共に、他端側からストラップ紐の両端部が内部の通路に挿入される本体部と、一端側に回動軸が設けられ、本体部に対して、回動軸を中心にして他端側の紐押止端を通路と対向させる第１の方向、及び紐押止端を通路から離間させる第２の方向に回動自在に枢支され、ストラップ紐の両端部が本体部の通路まで挿入されたとき、第１の方向に回転して紐押え端により当該ストラップ紐の両端部を通路の底面に押し付けるようにして保持する紐保持具とを設け、紐保持具は、紐押止端によりストラップ紐の両端部を通路の底面に押し付けるように保持したとき、回動軸から通路への垂線よりも紐押止端によるストラップ紐の両端部に対する押え位置が一端側にずれるようにしたことにより、回動軸の真下で当該ストラップ紐の両端部を押える場合と比して、あたかも第１の方向に回転するように付勢した状態で当該ストラップ紐の両端部を押えて保持することができ、また紐押止端でストラップ紐の両端部を押えて保持するときに取付対象の重量よりも重い所定以上の力でストラップ紐が引っ張られたときのみ当該ストラップ紐が抜けるように、回動軸と本体部の内部の通路との間の距離及び当該回動軸から当該本体部の内部の通路への垂線と紐押止端との間の距離を選定すれば、取付対象を吊り下げたときにはストラップ紐が引き抜かれないようにできると共に、取付対象の重量よりも重い所定以上の力でストラップ紐が引っ張られたときには、当該ストラップ紐が引き抜かれるようにすることができ、かくして電子機器を吊り下げて保持できると共に簡易にストラップ紐を付け替えることができるストラップ、固定具及びストラップ付電子機器を実現することができる。
【発明を実施するための最良の形態】
【０００９】
以下図面について、本発明の実施の形態を詳述する。
【００１０】
（１）携帯型音楽再生装置の外観構成
図１及び図２（Ａ）〜（Ｆ）において、１は全体として、角部がまるみを帯びた縦長で扁平な略直方体形状の外形を有する携帯型音楽再生装置を示し、この外形を中心より下方の所定位置で上下に二分したときの上部に該たる本体２と、本体２の下端に下方に突出するように設けられたコネクタ３と、外形を二分したときの下部に該たり、本体２の下端に着脱可能でコネクタ３を覆う蓋状のキャップ（以下、これをコネクタ用キャップとも呼ぶ）４とでなる。ちなみに、この携帯型音楽再生装置１の大きさは、手の平に収まる程度の大きさであるとする。
【００１１】
本体２には、その正面２Ａの中央に縦長の液晶パネル又は有機ＥＬ（Electro Luminescence）パネル等でなる表示部５が設けられていると共に、この表示部５の上方に、表示部５の表示内容を切り換えるための表示内容切換ボタン６が設けられ、さらにその上方に、音楽を再生または停止するための再生／停止ボタン７が設けられている。また、本体２の一側面２Ｂには、その上部に、音楽を早送りするための早送りボタン８と、巻き戻すための巻き戻しボタン９とが縦に並べて設けられている。
【００１２】
さらに、本体２の背面２Ｃには、その上部の一側面２Ｂ寄りに、音量を上げるための音量＋ボタン１０と下げるための音量−ボタン１１とが縦に並べて設けられていると共に、他側面２Ｄ寄りに、縦長のスライド溝１２と、このスライド溝１２に沿ってスライドするスライドスイッチ１３とが設けられている。このスライドスイッチ１３は、スライド溝１２の一端側にスライドさせられると各種操作ボタン（表示内容切換ボタン６、再生／停止ボタン７、早送りボタン８、巻き戻しボタン９、音量＋ボタン１０及び音量−ボタン１１）に対する操作を有効にし、他端側にスライドさせられると各種操作ボタンに対する操作を無効にする、いわゆるホールドスイッチである。
【００１３】
くわえて、この背面２Ｃの上端には、本体２の上面２Ｅに貫通する、ストラップの紐を通すための貫通孔（以下、これをストラップ用孔とも呼ぶ）１４の一方の口が設けられている。さらに、本体２の上面２Ｅには、その背面２Ｃ寄りにストラップ用孔１４の他方の口が設けられていると共に、中央にイヤホン端子１５が設けられ、このイヤホン端子１５を介してイヤホンＥＰが接続されるようになされている。
【００１４】
一方、コネクタ３には、その下端にオス型口部１６が設けられ、このオス型口部１６を、パーソナルコンピュータなどの外部機器に設けられたコネクタのメス型口部に直接挿入することで、外部機器と接続してデータをやり取りし得るようになされている。
【００１５】
実際上、このコネクタ３を使用して外部機器と接続するときには、図３に示すように、コネクタ用キャップ４を本体２から取り外すことでコネクタ３を外部に露出させ、これに対してこのコネクタ３を使用しないときには、コネクタ用キャップ４を本体２に取り付けることで、このコネクタ用キャップ４でコネクタ３を覆って保護するようになされている。
【００１６】
（２）携帯型音楽再生装置の回路構成
つづいて、上述した外観構成をなす携帯型音楽再生装置１の回路構成について、図４を用いて説明する。携帯型音楽再生装置１は、制御部２０が、例えばフラッシュメモリでなる記憶部２１から読み出したプログラムに従って全体を統括的に制御すると共に各種処理を実行するようになされている。また、この携帯型音楽再生装置１は、コネクタ３を介して外部機器と接続されたときに、この外部機器から転送されてくる音楽データを記憶部２１に記憶するようになされ、さらに、この外部機器との接続時、コネクタ３を介して外部機器より供給される電源により図示しない内蔵のバッテリを充電するようにもなされている。
【００１７】
この携帯型音楽再生装置１の制御部２０は、外部機器と接続されていない状態で、各種操作ボタン及びスイッチである操作部２２を介して、音楽データを再生する操作（以下、これを再生操作とも呼ぶ）が行われたことを認識すると、これに応じて記憶部２１から音楽データを読み出し、これを音声処理部２３に入力する。
【００１８】
音声処理部２３は、音楽データに対して復号処理及び増幅処理などの所定の音声処理を施すことで音楽信号を得、この音楽信号をイヤホン端子１５に送出する。この結果、このイヤホン端子１５に接続されたイヤホンＥＰから音楽信号に基づく音楽が放音される。
【００１９】
このようにして、携帯型音楽再生装置１は、記憶部２１に記憶されている音楽データを再生するようになされている。
【００２０】
また、このような音楽データの再生時、携帯型音楽再生装置１の制御部２０は、音楽データに付加されている音楽データに関する情報（例えば、音楽のタイトル、アーティスト名、ジャンルなど）や、現在の音量を示す情報、バッテリの残容量を示す情報などの各種情報を、表示部５に表示するようにもなされている。ちなみに、この表示部５は、例えば、その表示領域が横一行十数文字程度の情報を表示し得る大きさであり、一度に表示できない情報については、制御部２０の制御により、スクロールさせて表示したり、切り換えて表示するようになされている。
【００２１】
（３）ストラップの構成
かかる構成に加えて、図５に示すように、携帯型音楽再生装置１の場合、当該携帯型音楽再生装置１に設けられたストラップ用孔１４にストラップ３０が取り付けられている。かかるストラップ３０は、略くさび形状でなる固定具３１の一端に環状の松葉紐３３が取り付けられていると共に、他端に環状のストラップ紐３２が取り付けられる。
【００２２】
この場合、図６及び図７に示すように、固定具３１は、略くさび形状の固定具本体３４を有している。かかる固定具本体３４は、内部にストラップ紐３２の両端部（以下、これをストラップ紐両端部３２Ａと呼ぶ）や松葉紐３３の両端部を収納する紐収納空間３５が設けられている。そして固定具本体３４の一面（以下、これを本体一面３４Ａと呼ぶ）には、紐収納空間３５とつながり、かつ固定具本体３４の一端（以下、これを本体一端３４Ｂと呼ぶ）から他端（以下、これを本体他端３４Ｃと呼ぶ）への方向（以下、これを本体長手方向と呼ぶ）に沿って長い略長方形状の空間開口部４０が設けられている。また、固定具本体３４の本体他端３４Ｃには、紐収納空間３５につながるストラップ紐挿通孔４１が設けられている。かかるストラップ紐挿通孔４１は、ストラップ紐３２を横に２本並べて挿入可能な大きさに形成されている。これにより固定具本体３４は、ストラップ紐両端部３２Ａが揃うように並べられた状態で外部からストラップ紐挿通孔４１に挿入されると、当該ストラップ紐両端部３２Ａを内部の紐収納空間３５まで通して収納させるようになされている。
【００２３】
一方、固定具本体３４の本体一端３４Ｂには、紐収納空間３５とつながる松葉紐挿通孔４２が設けられている（図７（Ａ））。かかる松葉紐挿通孔４２は、松葉紐３３を２本まとめて挿入できるだけの大きさに形成されている。また、松葉紐３３は、例えば両端部がまとめて結ばれることにより、松葉紐３３を２本まとめたよりも太い団子状の結び目が形成されると共に全体として環を形成している。そして固定具本体３４は、内部の紐収納空間３５側から松葉紐３３の環の部分が松葉紐挿通孔４２に挿入されて固定具本体３４の外部に引き出されると、松葉紐挿通孔４２の縁である紐収納空間３５の内壁に松葉紐３３の結び目が引っ掛かることにより、当該松葉紐３３の両端部を固定具本体３４の外部に引き抜かれないよう保持する。
【００２４】
さらに固定具３１には、固定具本体３４の紐収納空間３５内に挿入されたストラップ紐両端部３２Ａを当該紐収納空間３５内に保持する紐保持具３６が設けられている（図６（Ａ））。かかる紐保持具３６は、空間開口部４０と略同じ形状及び大きさの蓋部３６Ａを有している。かかる蓋部３６Ａの裏面（以下、これを蓋部裏面３６ＡＸと呼ぶ）には、当該蓋部３６Ａの長手方向（以下、蓋部長手方向と呼ぶ）に沿って一方の端部（以下、これを蓋一端部３６ＡＹと呼ぶ）寄りの所定位置に当該蓋部３６Ａと略同じ幅を有する略くさび形状の紐押止部３６Ｂがほぼ垂直に突設されている。また紐押止部３６Ｂの根元部分（以下、これを紐押止部根元部分３６ＢＸと呼ぶ）には、紐保持具３６の幅よりも長い回動軸３７が、当該紐保持具３６の幅方向と平行にかつ一端部及び他端部を紐保持具３６の両側面から突出させて設けられている。さらに、固定具本体３４の両側壁には、一対の軸受孔３８が穿設されている。そして紐保持具３６は、固定具本体３４の一対の軸受孔３８に、回動軸３７の一端部及び他端部がそれぞれ通されている。これにより紐保持具３６は、固定具本体３４に対し、回動軸３７を中心にして矢印Ｄ１に示すように蓋部３６Ａが空間開口部４０を開放する方向（以下、これを開放方向と呼ぶ）、及びこれとは逆の空間開口部４０を閉塞する方向（以下、これを閉塞方向と呼ぶ）に回動自在に枢支されている。
【００２５】
この場合紐保持具３６は、回動軸３７を中心にして蓋部３６Ａが開放方向に回転され、当該蓋部３６Ａの表面（以下、これを蓋部表面３６ＡＺと呼ぶ）を空間開口部４０の本体一端３４Ｂ側の縁に当接させて当該空間開口部４０を開放させる状態（以下、これを蓋開放状態と呼ぶ）のとき、紐押止部３６Ｂの先端（以下、これを紐押止部先端３６ＢＹと呼ぶ）を固定具本体３４の内部の底面（以下、これを内部底面３４Ｄと呼ぶ）から極力遠ざける（図６（Ａ）及び図７（Ａ））。一方、紐保持具３６は、回動軸３７を中心にして蓋部３６Ａが閉塞方向に回転され、当該蓋部３６Ａにより空間開口部４０を閉塞した状態（以下、これを蓋閉塞状態と呼ぶ）のとき、紐押止部先端３６ＢＹを内部底面３４Ｄに極力近づける（図６（Ｂ）及び図７（Ｂ））。
【００２６】
ところで固定具本体３４は、横に２本並べたストラップ紐両端部３２Ａが丁度挿入できるように紐収納空間３５の幅が選定されている。また紐保持具３６は、紐収納空間３５の幅と略同じ長さに当該紐押止部３６Ｂの幅が選定されている。さらに紐保持具３６は、蓋開放状態において、ストラップ紐両端部３２Ａを、内部底面３４Ｄと、これと対向する紐押止部３６Ｂの一面（以下、これを紐押止部一面３６ＢＺと呼ぶ）との間に挿入させ、かつ蓋部裏面３６ＡＸの中で紐押止部根元部分３６ＢＸと蓋一端部３６ＡＹとの間の領域（以下、これを裏面突当領域３６ＡＸａと呼ぶ）でストラップ紐両端部３２Ａを突き当てられるように、裏面突当領域３６ＡＸａの長さが選定されている。一方、紐保持具３６は、蓋閉塞状態において、紐押止部先端３６ＢＹが内部底面３４Ｄとの間にストラップ紐両端部３２Ａを押しつけるように、蓋部裏面３６ＡＸから紐押止部先端３６ＢＹまでの高さが選定されている。
【００２７】
これにより紐保持具３６は、蓋開放状態において、横に揃うように並べられた状態のストラップ紐両端部３２Ａが外部からストラップ紐挿通孔４１に挿入されて、そのまま固定具本体３４の紐収納空間３５内に通されると、内部底面３４Ｄと紐押止部一面３６ＢＺとの間に当該ストラップ紐両端部３２Ａを並べたまま通すことができると共に、裏面突当領域３６ＡＸａに当該ストラップ紐両端部３２Ａが突き当てられる。そして紐保持具３６は、裏面突当領域３６ＡＸａにストラップ紐両端部３２Ａが突き当てられる状態から蓋閉塞状態に移行すると、内部底面３４Ｄに対し、ストラップ紐両端部３２Ａを紐押止部先端３６ＢＹで押しつけるようにして保持することができるようになされている（図７（Ａ））。
【００２８】
かかる構成に加えて、図７（Ａ）及び（Ｂ）に示すように、紐保持具３６は、紐押止部先端３６ＢＹで内部底面３４Ｄに対してストラップ紐両端部３２Ａを押しつけるようにして保持するときに、当該紐押止部先端３６ＢＹの蓋一端部３６ＡＹ側が内部底面３４Ｄ側に突出するように形成されている。また紐保持具３６は、紐押止部先端３６ＢＹで内部底面３４Ｄに対してストラップ紐両端部３２Ａを押しつけるようにして保持するときに、回動軸３７から内部底面３４Ｄへの垂線Ｌ１よりも本体一端３４Ｂ側に紐押止部先端３６ＢＹが位置するように紐押止部３６Ｂに対する回動軸３７の配置が選定されている。これにより紐保持具３６は、内部底面３４Ｄに対し、ストラップ紐両端部３２Ａを紐押止部先端３６ＢＹで押しつけるようにして保持するとき、回動軸３７の真下よりも本体一端３４Ｂ側にずれた位置の紐押止部先端３６ＢＹでストラップ紐両端部３２Ａを押えることにより、単に回動軸３７の真下でストラップ紐両端部３２Ａを押える場合に比べて、あたかも閉塞方向に回転するように付勢した状態でストラップ紐両端部３２Ａを押えて保持している。
【００２９】
そして紐保持具３６は、ストラップ３０に取り付けられた当該携帯型音楽再生装置１が使用者の手や首に吊り下げられたときにストラップ紐３２が抜けないように、かつ携帯型音楽再生装置１の重量よりも重い所定の力がかかったときのみ抜けるように、回動軸３７と内部底面３４Ｄとの間の距離及び当該回動軸３７の垂線Ｌ１と紐押止部先端３６ＢＹとの間の距離が選定されている（図７（Ｂ））。これにより紐保持具３６は、ストラップ３０に取り付けられた携帯型音楽再生装置１が吊り下げられた状態で使用されても、ストラップ紐両端部３２Ａを何ら問題なく保持し続けることができる。これに対し紐保持具３６は、例えば携帯型音楽再生装置１が引っかかり、そして所定以上の力で引っ張られて、その引張り力がストラップ紐３２に伝わった場合には、紐押止部先端３６ＢＹが開放方向に回転してストラップ紐両端部３２Ａの保持を解除することで、ストラップ紐３２が固定具本体３４から抜けるようになっている（図７（Ａ））。また紐保持具３６は、例えば破損等でストラップ紐３２を交換する必要があり、そして所定以上の力でストラップ紐３２が引っ張られた場合、紐押止部先端３６ＢＹが開放方向に回転してストラップ紐両端部３２Ａの保持を解除することで、ストラップ紐３２が固定具本体３４から抜けるようになっている。
【００３０】
さらに紐保持具３６は、固定具本体３４からストラップ紐３２が抜けるときに、紐押止部先端３６ＢＹがストラップ紐両端部３２Ａに引っ掛かって当該紐保持具３６を開放方向に回転させるように、紐押止部一面３６ＢＺが垂線Ｌ１と平行になるように形成されている（図７（Ｂ））。これにより紐保持具３６は、固定具本体３４からストラップ紐３２が抜けるとき、紐押止部先端３６ＢＹがストラップ紐両端部３２Ａに引っ掛かって紐保持具３６を開放方向に回転させることができる。
【００３１】
（４）動作効果
以上の構成において、ストラップ３０の固定具３１は、蓋開放状態において、固定具本体３４に対し、ストラップ紐両端部３２Ａが揃うように並べられた状態で外部からストラップ紐挿通孔４１に挿入されると、当該ストラップ紐両端部３２Ａを内部の紐収納空間３５まで通して収納する。そしてストラップ３０の固定具３１は、回動軸３７を中心にして閉塞方向に紐保持具３６が回転させられると、固定具本体３４の内部底面３４Ｄに対し、回動軸３７の真下よりも本体一端３４Ｂ側にずれた位置の紐保持具３６の紐押止部先端３６ＢＹでストラップ紐両端部３２Ａを押しつけるようにして保持する。
【００３２】
すなわちストラップ３０の固定具３１は、固定具本体３４の内部の紐収納空間３５に対して本体他端３４Ｃ側からストラップ紐両端部３２Ａが挿入されたとき、回動軸３７の真下よりも本体一端３４Ｂ側にずれた位置の紐押止部先端３６ＢＹでストラップ紐両端部３２Ａを押えることにより、単に回動軸３７の真下でストラップ紐両端部３２Ａを押える場合に比べて、あたかも閉塞方向に回転するように付勢した状態でストラップ紐両端部３２Ａを押えて保持することができる。またストラップ３０の固定具３１は、紐押止部先端３６ＢＹでストラップ紐両端部３２Ａを押えて保持するときに携帯型音楽再生装置１の重量よりも重い所定以上の力でストラップ紐３２が引っ張られるときのみ当該ストラップ紐３２が抜けるように、回動軸３７と内部底面３４Ｄとの間の距離及び当該回動軸３７の垂線Ｌ１と紐押止部先端３６ＢＹとの間の距離が選定されることで、携帯型音楽再生装置１を吊り下げたときにはストラップ紐３２が引き抜かれないようにすることができると共に、携帯型音楽再生装置１の重量よりも重い所定の力でストラップ紐３２が引っ張られたときには当該ストラップ紐３２が引き抜かれるようにすることができる。
【００３３】
以上の構成によれば、ストラップ３０の固定具３１は、固定具本体３４の内部の紐収納空間３５に対して本体他端３４Ｃ側から挿入されたストラップ紐両端部３２Ａを、回動軸３７の真下よりも本体一端３４Ｂ側にずれた位置の紐押止部先端３６ＢＹで押えるようにしたことにより、単に回動軸３７の真下でストラップ紐両端部３２Ａを押える場合に比べて、あたかも閉塞方向に回転するように付勢した状態で保持することができ、また携帯型音楽再生装置１の重量よりも重い所定以上の力でストラップ紐３２が引っ張られたときのみ当該ストラップ紐３２が抜けるように、回動軸３７と内部底面３４Ｄとの間の距離及び当該回動軸３７の垂線Ｌ１と紐押止部先端３６ＢＹとの間の距離が選定されているので、携帯型音楽再生装置１を吊り下げたときにはストラップ紐３２が引き抜かれないようにすることができると共に、携帯型音楽再生装置１の重量よりも重い所定以上の力でストラップ紐３２が引っ張られたときに当該ストラップ紐３２が引き抜かれるようにでき、かくして携帯型音楽再生装置１を吊り下げて保持できると共に、簡易にストラップ紐３２を付け替えることができる。
【００３４】
またストラップ３０の固定具３１は、保持しているストラップ紐３２が固定具本体３４から抜けるときに紐押止部先端３６ＢＹがストラップ紐両端部３２Ａに引っ掛かるように、紐押止部一面３６ＢＺを垂線Ｌ１と平行に形成されている。従ってストラップ３０の固定具３１は、保持しているストラップ紐３２が固定具本体３４から抜けるとき、紐押止部先端３６ＢＹによりストラップ紐両端部３２Ａを引っ掛けて開放方向に紐保持具３６を回転させることができる。これによりストラップ３０の固定具３１は、例えば破損等でストラップ紐３２を交換する必要があり、所定以上の力でストラップ紐３２が引っ張られて固定具本体３４から抜けるとき、紐保持具３６の蓋部３６Ａを開放方向に回転させて蓋開放状態にすることができるので、結果として交換するストラップ紐３２を固定具本体３４に入れ易くすることができ、かくして簡易にストラップ紐３２を付け替えることができる。
【００３５】
さらにストラップ３０の固定具３１は、蓋開放状態において、ストラップ紐両端部３２Ａが外部から挿入されたときに、裏面突当領域３６ＡＸａで当該ストラップ紐両端部３２Ａを突き当てられるように当該裏面突当領域３６ＡＸａの長さが選定されている。従ってストラップ３０の固定具３１は、ストラップ紐両端部３２Ａが外部から挿入されたとき、当該ストラップ紐両端部３２Ａで裏面突当領域３６ＡＸａが突き当てられて、閉塞方向に紐保持具３６を回転させて紐押止部先端３６ＢＹでストラップ紐両端部３２Ａを押えることができる。これによりストラップ３０の固定具３１は、蓋開放状態において、ストラップ紐両端部３２Ａが固定具本体３４の紐収納空間３５内に通されたとき、閉塞方向に回転される紐保持具３６の紐押止部先端３６ＢＹでストラップ紐両端部３２Ａの端から十分に離れた所定の位置を押えることができ、かくして固定具本体３４の内部底面３４Ｄに対してストラップ紐両端部３２Ａを確実に押えて保持することができる。
【００３６】
因みにストラップ３０は、固定具本体３４からストラップ紐３２を引き抜くことができるので、長さ調節用の部品を特には設けることなく、切断により長さを調節したストラップ紐３２を容易に交換して保持させることができる。またストラップ紐３２を介して首から携帯型音楽再生装置１を吊り下げている場合に、その携帯型音楽再生装置１が仮に電車の扉にはさまる等しても、その際、携帯型音楽再生装置１が引っ張られると、その引っ張り力が固定具３１に伝わり、結果として固定具本体３４からストラップ紐両端部３２Ａが引き抜かれる。すなわち、ストラップ３０は、このような場合でも、固定具３１からストラップ紐両端部３２Ａを引き抜くことができる。
【００３７】
（５）他の実施の形態
なお上述した実施の形態においては、紐保持具３６の蓋部３６Ａにほぼ垂直に紐押止部３６Ｂが突設されている場合について述べたが、本発明はこれに限らず、固定具本体３４の内部の紐収納空間３５に対して本体他端３４Ｃ側からストラップ紐両端部３２Ａが挿入されたとき、回動軸３７の真下よりも本体一端３４Ｂ側にずれた位置でストラップ紐両端部３２Ａを押えることができれば、垂直に突設されていなくても良い。
【００３８】
また上述した実施の形態においては、紐保持具３６の紐押止部先端３６ＢＹの蓋一端部３６ＡＹ側が内部底面３４Ｄ側に突出するように形成されている場合について述べたが、本発明はこれに限らず、固定具本体３４の内部の紐収納空間３５に対して本体他端３４Ｃ側からストラップ紐両端部３２Ａが挿入されたとき、回動軸３７の真下よりも本体一端３４Ｂ側にずれた位置でストラップ紐両端部３２Ａを押えることができれば、突出していなくても良い。
【００３９】
さらに上述した実施の形態においては、蓋閉塞状態において、紐保持具３６の紐押止部一面３６ＢＺが垂線Ｌ１と平行になるように形成されている場合について述べたが、本発明はこれに限らず、固定具本体３４からストラップ紐３２が抜けるとき、紐押止部先端３６ＢＹがストラップ紐両端部３２Ａに引っ掛かって紐保持具３６を開放方向に回転させることができれば、平行でなくても良い。
【００４０】
さらに上述した実施の形態においては、固定具本体３４の紐収納空間３５がストラップ紐両端部３２Ａを横に２本並べて収納するようにした場合について述べたが、本発明はこれに限らず、固定具本体３４の紐収納空間３５にストラップ紐両端部３２Ａを縦に２本並べて収納するようにしても良い。
【００４１】
さらに上述した実施の形態においては、本発明によるストラップ、固定具及びストラップ付電子機器を、上述したストラップ３０、固定具３１及び携帯型音楽再生装置１に適用するようにした場合について述べたが、本発明はこれに限らず、携帯型半導体メモリやデジタルカメラ、携帯型ラジオ、携帯型映像再生装置、携帯型ゲーム機、ＰＤＡ（Personal Digital Assistance ）等の電子機器本体に取り付けられるストラップや、これら電子機器本体を収納するケースに取り付けられるストラップ、更にはそのストラップ紐以外の種々の紐を固定する固定具等のように、この他種々のストラップ、固定具及びストラップ付電子機器に広く適用することができる。
【００４２】
さらに上述した実施の形態においては、一端側に取付対象が取り付けられると共に、他端側からストラップ紐の両端部が内部の通路に挿入される本体部として、図１乃至図７について上述した略くさび形状の固定具本体３４を適用するようにした場合について述べたが、本発明はこれに限らず、ストラップ紐両端部３２Ａが揃うように並べられた状態で挿入されたとき、当該ストラップ紐両端部３２Ａが揃ったまま内部に通すことができるものであれば、略直方体形状等のように、この他種々の形状でなる固定具本体を広く適用することができる。
【００４３】
さらに上述した実施の形態においては、一端側に回動軸が設けられ、本体部に対して、回動軸を中心にして他端側の紐押止端を通路と対向させる第１の方向、及び紐押止端を通路から離間させる第２の方向に回動自在に枢支され、ストラップ紐の両端部が本体部の通路まで挿入されたとき、第１の方向に回転して紐押え端により当該ストラップ紐の両端部を通路の底面に押し付けるようにして保持する紐保持具として、図１乃至図７について上述した、空間開口部４０と略同じ形状及び大きさの蓋部３６Ａを有していると共に、かかる蓋部３６Ａの蓋部裏面３６ＡＸには、蓋部長手方向に沿って蓋一端部３６ＡＹ寄りの所定位置に当該蓋部３６Ａと略同じ幅を有する略くさび形状の紐押止部３６Ｂがほぼ垂直に突設されている紐保持具３６を適用するようにした場合について述べたが、本発明はこれに限らず、固定具本体３４の内部の紐収納空間３５に対して本体他端３４Ｃ側からストラップ紐両端部３２Ａが挿入されたとき、回動軸３７の真下よりも本体一端３４Ｂ側にずれた位置でストラップ紐両端部３２Ａを押えることができるものであれば、板状や棒状等のように、この他種々の形状でなる紐保持具を広く適用することができる。
【産業上の利用可能性】
【００４４】
本発明は電子機器等に取り付けられるストラップ、固定具及びストラップ付電子機器に利用することができる。
【図面の簡単な説明】
【００４５】
【図１】携帯型音楽再生装置の外観構成を示す略線的斜視図である。
【図２】携帯型音楽再生装置の外観構成を示す略線図である。
【図３】コネクタ用キャップの取り外しの説明に供する略線的斜視図である。
【図４】携帯型音楽再生装置の回路構成を示す略線図である。
【図５】ストラップ取り付けの説明に供する略線図である。
【図６】固定具の外観構成を示す略線的斜視図である。
【図７】ストラップ紐挿入の説明に供する略線図である。
【符号の説明】
【００４６】
１……携帯型音楽再生装置、２……本体、３……コネクタ、４……コネクタ用キャップ、３０……ストラップ、３１……固定具、３２……ストラップ紐、３２Ａ……ストラップ紐両端部、３３……松葉紐、３４……固定具本体、３４Ａ……本体一面、３４Ｂ……本体一端、３４Ｃ……本体他端、３４Ｄ……内部底面、３５……紐収納空間、３６……紐保持具、３６Ａ……蓋部、３６ＡＸ……蓋部裏面、３６ＡＸａ……裏面突当領域、３６ＡＹ……蓋部一端部、３６ＡＺ……蓋部表面、３６Ｂ……紐押止部、３６ＢＸ……紐押止部根元部分、３６ＢＹ……紐押止部先端、３６ＢＺ……紐押止部一面、３７……回動軸、３８……軸受孔、４０……空間開口部、４１……ストラップ紐挿通孔、４２……松葉紐挿通孔、Ｄ１……矢印、Ｌ１……垂線。
【図１】
2007275148.tif 000003
【図２】
2007275148.tif 000004
【図３】
2007275148.tif 000005
【図４】
2007275148.tif 000006
【図５】
2007275148.tif 000007
【図６】
2007275148.tif 000008
【図７】
2007275148.tif 000009